(57)【要約】      （修正有）【課題】２重カートリッジの位置決め基準孔をカートリッジ内の記録媒体に対する位置基準に対して高精度で設ける。【解決手段】記録媒体を収納するインナシェル５ａ、５ｂと、その外側に配置されるアウタシェル６ａ、６ｂから成る２重構造であって、２重カートリッジを位置決めするための基準孔１３をインナシェルに設け、アウタシェルに設けられた穴１２から外部に露出させる。【選択図】図７
2009048675.tif 000002
【特許請求の範囲】
【請求項１】
記録媒体を収納するインナシェルと、
前記インナシェルの外側に配置されるアウタシェルとを備える２重カートリッジであって、
該２重カートリッジを位置決めするための基準孔が前記インナシェルに設けられ、前記アウタシェルに設けられた穴から外部に露出することを特徴とする２重カートリッジ。
【請求項２】
前記基準孔は前記インナシェルに設けられた凸部において設けられていることを特徴とする請求項１記載の２重カートリッジ。
【請求項３】
前記インナシェルの凸部は前記アウタシェルに設けられた穴に嵌合することを特徴とする請求項２記載の２重カートリッジ。
【請求項４】
前記インナシェルの凸部の周囲にはリブが設けられ、前記アウタシェルの周囲には溝が設けられ、前記インナシェルのリブは前記アウタシェルの溝に嵌合することを特徴とする請求項１乃至３のいずれか１項に記載の２重カートリッジ。
【請求項５】
前記インナシェルの凸部の周囲には溝が設けられ、前記アウタシェルの周囲にはリブが設けられ、前記インナシェルの溝は前記アウタシェルのリブに嵌合することを特徴とする請求項２乃至３のいずれか１項に記載の２重カートリッジ。
【請求項６】
収納される記録媒体がディスク状記録媒体であることを特徴とする請求項１乃至５のいずれか１項に記載の２重カートリッジ。
【請求項７】
前記インナシェルには、収納される前記ディスク状記録媒体の外周で位置決めを行うディスク外周リブが設けられていることを特徴とする請求項６記載の２重カートリッジ。
【請求項８】
前記記録媒体がホログラム媒体であることを特徴とする請求項１乃至７のいずれか１項に記載の２重カートリッジ。
【発明の詳細な説明】
【技術分野】
【０００１】
本発明は、記録媒体を収納するカートリッジに関する。
【背景技術】
【０００２】
ディスク状記録媒体は、ディスクカートリッジに回転可能に収納して記録再生を行うようにすると、表面の保護や防塵等に有利である。
【０００３】
一方、デジタルホログラム記録は、従来の光ディスクとは異なり、記録光と参照光の干渉を利用して、記録層の厚み方向の干渉点に記録し、参照光で干渉点に記録された情報を読み出す方式であり、一回の光照射で大量のデータが記録できる点と相俟って、大容量かつ高速の情報記録/再生が可能である。
【０００４】
従来のホログラム記録に用いる記録媒体は、ニオブ酸リチウム単結晶のようなフォトリフラクティブ結晶と呼ばれる無機単結晶が主体であり、高価格かつ加工困難という問題点を有していた。これに対し、光重合性材料をベースとした有機系ホログラム材料は、上記問題点に対し劇的な改善が期待でき、近年研究が進められている。この有機系のホログラム記録用材料には、記録材料である光重合性材料をその支持媒体となる高分子マトリックスに混合・分散したものが用いられ、記録媒体作成にあたっては、これを溶剤に希釈して塗料とし基板上に塗布するか、あるいはこれをフィルム状に加工して基材に貼付する方法が取られている。
【０００５】
ところで、ホログラム記録においてはレーザなどの記録光により記録を行うため、記録を行うまでにいかに遮光して未記録の状態で保存しておくかが重要である。例えば特許文献１では、遮光性カートリッジにホログラム媒体を収納し、記録再生装置に装着する際に駆動軸挿入孔とヘッドアクセス孔をシャッタにより開閉して保存時の遮光性を確保する手法が提案されている。また、防塵性を高める手法として、例えば特許文献２のようにカートリッジ構造を二重にすることが提案されている。また、ＩＳＯの５．２５型ＭＯカートリッジと同型状のカートリッジでホログラム媒体を提供する提案がなされている。
【０００６】
さらに、ホログラムメディア等、光に弱いディスク状記録媒体を収納するディスクカートリッジにおいては、特に遮光対策が重要である。
【０００７】
遮光対策を行ったディスクカートリッジとしては、ディスク状記録媒体を格納するシェルを内側のインナシェルと外側のアウタシェルによって構成する２重構造のディスクカートリッジがある。
【０００８】
【特許文献１】米国特許第５５２６３３７号公報
【特許文献２】特開平８−５５４５６号公報
【発明の開示】
【発明が解決しようとする課題】
【０００９】
収納されるディスク状記録媒体の外周で位置決めを行うために、ディスクカートリッジの内部にディスク外周リブが設けられる。これがディスクカートリッジの内側の位置における基準となる。このディスク外周リブによってディスク状記録媒体の外周の位置が規定され、ディスク状記録媒体の中心孔の位置が存在する範囲が定まる。また、ディスクカートリッジの外側の位置における基準として、基準孔が設けられる。ドライブ装置はこの基準孔によってディスクカートリッジ内に収納されたディスク状記録媒体の位置を把握し、ディスク状記録媒体の中心孔に対して回転軸を位置決めする。
【００１０】
２重構造のカートリッジにおいては、内側の基準となるディスク外周リブはインナシェルに、外側の基準となる位置決め基準孔はアウタシェルに設けることになる。このため、別々の部材に設けられたディスク外周リブと位置決め基準孔との相対的な位置精度を高めることが困難であり、アウタシェルとインナシェルの組み立て時にこれらの位置関係を調整する必要があり、設計や組み立てに手間が掛かっていた。
【００１１】
本発明はこのような事情に鑑みてなされたものであり、カートリッジの位置決め基準孔をカートリッジ内の記録媒体に対する位置基準に対して高精度で設けることができる２重カートリッジを提供することを目的とするものである。
【課題を解決するための手段】
【００１２】
本発明の２重カートリッジは、記録媒体を収納するインナシェルと、その外側に配置されるアウタシェルから成る２重構造であって、該２重カートリッジを位置決めするための基準孔を前記インナシェルに設け、前記アウタシェルに設けられた穴から外部に露出させることを特徴とする。記録媒体を収納するインナシェルに２重カートリッジを位置決めするための基準孔を設けることにより、カートリッジ内側の記録媒体に対する位置基準との相対的な位置精度を高くすることが容易になる。
【発明の効果】
【００１３】
本発明によれば、カートリッジの位置決め基準孔をカートリッジ内側の位置基準に対して高精度で設けることができる。
【発明を実施するための最良の形態】
【００１４】
以下、図面を参照して本発明の２重カートリッジを詳細に説明する。図面を通じて、同じ参照符は同様の要素を示すものとする。
【００１５】
図５は、本発明の２重カートリッジの６面図である。本明細書では、便宜上、上面を図５（ａ）、正面を図５（ｂ）、背面を図５（ｃ）、左側面を図５（ｄ）、右側面を図５（ｅ）、下面を図５（ｆ）とする。
【００１６】
図１は、本発明の２重カートリッジを上面側から見た分解斜視図であり、図２は、本発明の２重カートリッジを下面側から見た分解斜視図である。本発明の２重カートリッジは、カートリッジケース１と、スライダ２と、シャッタ３とを備える。
【００１７】
カートリッジケース１は、ディスク状記録媒体４を収納するインナ上ハーフ５ａとインナ下ハーフ５ｂとからなるインナケース５と、そのインナケース５の外側に配置されたアウタ上ハーフ６ａとアウタ下ハーフ６ｂとからなるアウタケース６の２重カートリッジ構造になっている。
【００１８】
インナ上ハーフ５ａ及びインナ下ハーフ５ｂには、各々、ディスク状記録媒体４の外周で位置決めを行うディスク外周リブ７ａ及び７ｂが設けられている。
【００１９】
アウタ上ハーフ６ａには、前方のほぼ中央にアウタ上ヘッド挿入孔８ａが形成され、アウタ下ハーフ６ｂには、前方のほぼ中央にアウタ下ヘッドおよびスピンドル挿入孔８ｂが、それぞれ形成されている。
【００２０】
アウタ下ハーフ６ｂの内面には、アウタ下ヘッドおよびスピンドル挿入孔８ｂを内側に含んだ広さで周囲より一段低くなったアウタケースシャッタ摺動凹部９ｂが設けられ、同様にアウタ上ハーフ６ａの内面にもアウタケースシャッタ摺動凹部９ａが設けられている。このアウタケースシャッタ摺動凹部９ａ、９ｂの外形とほぼ対応するように、インナ上ハーフ５ａ、５ｂにもインナケースシャッタ摺動凹部１０ａ、１０ｂが設けられている。これらのアウタケースシャッタ摺動凹部９ａ、９ｂとインナケースシャッタ摺動凹部１０ａ、１０ｂによって、インナ上ハーフ５ａとアウタ上ハーフ６ａの間、およびインナ下ハーフ５ｂとアウタ下ハーフ６ｂの間に、シャッタ３の上下平板部３ａ、３ｂが摺動する隙間が形成されるとともに、シャッタ３の摺動範囲が規制されている。
【００２１】
なお、カートリッジケース１は、例えば、ポリカーボネート（ＰＣ）樹脂、ポリアセタール（ＰＯＭ）樹脂、アクリロニトリルブタジエンスチレン（ＡＢＳ）樹脂、ポリプロピレン（ＰＰ）樹脂、塩化ビニル（ＰＶＣ）樹脂、ポリエチレン（ＰＥ）樹脂、ポリエチレンテレフタレート（ＰＥＴ）樹脂、ポリスチレン（ＰＳ）樹脂、メタクリル（ＰＭＭＡ）樹脂、シクロオレフィン樹脂、ナイロン樹脂、又は、ポリカーボネート（ＰＣ）−アクリロニトリルブタジエンスチレン（ＡＢＳ）の複合樹脂などで、射出成形、注型成形、切削加工、又は、ＵＶ硬化性樹脂による光造形によって作成されており、遮光性を発揮するために樹脂への黒色の着色、塗装、又は、銀色の着色、塗装、又は、アルミなど金属を表面へ蒸着、スパッタリングさせる、又は、酸化チタン、酸化アルミなどを樹脂へ配合させる、などを実施することが望ましく、帯電防止効果を期待して、カーボンファイバ、タルクなどを配合させる、また、強度を強くすることを期待して、ガラスファイバ、カーボンファイバ、タルクなどを配合させてもよい。
【００２２】
また、前記の通り、カートリッジケース１は、インナケース５とアウタケース６からなっているが、適した機能を得るために、それぞれの部品で異なる材料を使用させてもよい。
【００２３】
スライダ２は、インナ上ハーフ５ａとインナ下ハーフ５ｂを嵌合したときにできる、インナ上ハーフ５ａのスライダ摺動リブ１７ａとインナ下ハーフ５ｂのスライダ摺動リブ１７ｂの隙間に、スライダ２の摺動リブ２ｂが嵌合され、左右方向に摺動することによりシャッタを開閉させる。
【００２４】
なお、スライダ２は、例えば、ポリアセタール（ＰＯＭ）樹脂、アクリロニトリルブタジエンスチレン（ＡＢＳ）樹脂、ポリカーボネート（ＰＣ）樹脂、ポリプロピレン（ＰＰ）樹脂、塩化ビニル（ＰＶＣ）樹脂、ポリエチレン（ＰＥ）樹脂、ポリエチレンテレフタレート（ＰＥＴ）樹脂、ポリスチレン（ＰＳ）樹脂、メタクリル（ＰＭＭＡ）樹脂、シクロオレフィン樹脂、ナイロン樹脂などで、射出成形、注型成形、切削加工、又は、ＵＶ硬化性樹脂による光造形によって作成されており、遮光性を発揮するために樹脂への黒色の着色、塗装、又は、銀色の着色、塗装、又は、アルミなど金属を表面へ蒸着、スパッタリングさせる、又は、酸化チタン、酸化アルミなどを樹脂へ配合させてもよく、帯電防止効果を期待して、カーボンファイバ、タルクなどを配合させる、また、強度を強くすることを期待して、ガラスファイバ、カーボンファイバ、タルクなどを配合させてもよい。
【００２５】
シャッタ３は、上下平板部３ａ、３ｂと連結部３ｃから構成される。シャッタ３はスライダ２に組み合わされる。シャッタ３は、スライダ２に設けられたスライダ位置決め突起２ａと、シャッタ３の連結部３ｃに設けられた、突起２ａを嵌めるための孔３ｄによって、摺動方向に位置規制される。またアウタケース６によって上方向の位置が規制される。
【００２６】
なお、シャッタ３は、例えば、ステンレススチール（ＳＵＳ）、アルミ（Ａｌ）などの金属でプレス加工、又は、ポリアセタール（ＰＯＭ）樹脂、アクリロニトリルブタジエンスチレン（ＡＢＳ）樹脂、ポリカーボネート（ＰＣ）樹脂、ポリプロピレン（ＰＰ）樹脂、塩化ビニル（ＰＶＣ）樹脂、ポリエチレン（ＰＥ）樹脂、ポリエチレンテレフタレート（ＰＥＴ）樹脂、ポリスチレン（ＰＳ）樹脂、メタクリル（ＰＭＭＡ）樹脂、シクロオレフィン樹脂、ナイロン樹脂などで、射出成形、注型成形、切削加工、又は、ＵＶ硬化性樹脂による光造形によって作成されており、遮光性を発揮するために、金属を使用した場合、表面、裏面のいずれも、又はいずれかに、黒色の塗装を行ってもよい。また、樹脂を使用した場合、黒色の着色、塗装、又は、銀色の着色、塗装、又は、アルミなど金属を表面へ蒸着、スパッタリングさせる、又は、酸化チタン、酸化アルミなどを樹脂へ配合させてもよい。また、表面へのシボ加工を、単独、又は、着色、塗装などと複合的に行ってもよい。また、帯電防止効果を期待して、カーボンファイバ、タルクなどを配合させる、また、強度を強くすることを期待して、ガラスファイバ、カーボンファイバ、タルクなどを配合させてもよい。
【００２７】
図１、図２に示す各要素を組み立てると、本発明の２重カートリッジになる。図３は、本発明の２重カートリッジを上面側から見た斜視図であり、図４は、本発明の２重カートリッジを下面側から見た斜視図である。
【００２８】
インナケース５のインナ下ハーフ５ｂには、凸部１１が設けられている。インナ下ハーフ５ｂの凸部１１の下面には、２重カートリッジを位置決めするための基準孔１３が設けられている。図６は、インナ下ハーフ５ｂの６面図である。ディスク状記録媒体４の外周で位置決めを行うディスク外周リブ７ｂと、２重カートリッジを位置決めするための基準孔１３がこのインナ下ハーフ５ｂに設けられている。
【００２９】
図７は、本発明の２重カートリッジの下面図と、その線Ｇ−Ｇに沿った断面図と、その一部の拡大図を示す。アウタケース６のアウタ下ハーフ６ｂには穴１２が設けられている。インナーケース５及びアウタケース６がカートリッジケース１として組み立てられると、図７の拡大図に示すように、インナケース５の凸部１１はアウタケース６の穴１２に嵌合し、凸部１１の下面はアウタ下ハーフ６ｂの下面とほぼ面一になって外部に露出する。インナケース５の凸部１１の断面形状は、アウタケース６の穴１２の形状とほぼ同じであり、例えば円形、楕円、四角形等が好適である。
【００３０】
２重カートリッジの内側の位置における基準は、ディスク外周リブ７ｂである。このディスク外周リブ７ｂによってディスク状記録媒体４の外周の位置が規定され、ディスク状記録媒体４の中心孔の位置が存在する範囲が定まる。２重カートリッジの外側の位置における基準は、基準孔１３である。ドライブ装置はこの基準孔１３によって２重カートリッジ内に収納されたディスク状記録媒体４の位置を把握し、ディスク状記録媒体４の中心孔に対して回転軸を位置決めする。本発明の２重カートリッジでは、内側の基準となるディスク外周リブ７ｂと、外側の基準となる基準孔１３が、同じインナ下ハーフ５ｂに設けられているため、設計時、組み立て時において、ディスク外周リブ７ｂと基準孔１３の相対的な位置精度を容易に高めることができ、したがって、ディスク状記録媒体４の中心孔にドライブ装置の回転軸を正確に位置決めすることができるようになる。
【００３１】
さらに、インナケース５の凸部１１はアウタケース６の穴１２にぴったりと嵌合するため、インナケース５とアウタケース６の相対的な位置決めも正確にすることができる。
【００３２】
図８は、本発明の２重カートリッジの他の実施形態の上面図と、その線Ｇ−Ｇに沿った断面図と、その一部の拡大図を示す。インナケース５の凸部１１の下面の周囲に、段差をもって段差面１６が設けられており、段差面１６において、基準孔１３を取り囲むようにリブ１４が設けられている。アウタケース６のアウタ下ハーフ６ｂの裏面において、穴１２を取り囲むように溝１５が設けられている。インナケース５及びアウタケース６がカートリッジケース１として組み立てられると、図８の拡大図に示すように、溝１５はリブ１４に嵌合する。このようにすることにより、ゴミや光が２重カートリッジの内部に入りにくくなる。インナケース５側に溝を設け、アウタケース６側にリブを設けるようにしてもよい。
【００３３】
図９は、本発明の２重カートリッジの他の実施形態の６面図である。穴１２の周囲及び／又は段差面１６の周囲をシボ加工しても、ゴミや光が２重カートリッジの内部に入りにくくなる。
【産業上の利用可能性】
【００３４】
本発明は、記録媒体を収納するカートリッジに利用可能である。
【図面の簡単な説明】
【００３５】
【図１】本発明の２重カートリッジを上面側から見た分解斜視図である。
【図２】本発明の２重カートリッジを下面側から見た分解斜視図である。
【図３】本発明の２重カートリッジを上面から見た斜視図である。
【図４】本発明の２重カートリッジを下面から見た斜視図である。
【図５】本発明の２重カートリッジの６面図であり、（ａ）は上面図、（ｂ）は正面図、（ｃ）は背面図、（ｄ）は左側面図、（ｅ）は右側面図、（ｆ）は下面図である。
【図６】インナ下ハーフ５ｂの６面図であり、（ａ）は上面図、（ｂ）は正面図、（ｃ）は背面図、（ｄ）は左側面図、（ｅ）は右側面図、（ｆ）は下面図である。
【図７】本発明の２重カートリッジの下面図と、その線Ｇ−Ｇに沿った断面図と、その一部の拡大図を示す。
【図８】本発明の２重カートリッジの他の実施形態の下面図と、その線Ｇ−Ｇに沿った断面図と、その一部の拡大図を示す。
【図９】本発明の２重カートリッジの他の実施形態の６面図であり、（ａ）は上面図、（ｂ）は正面図、（ｃ）は背面図、（ｄ）は左側面図、（ｅ）は右側面図、（ｆ）は下面図である。
【符号の説明】
【００３６】
１  カートリッジケース
２  スライダ
２ａ  スライダ位置決め突起
２ｂ  摺動リブ
３  シャッタ
３ａ、３ｂ  平板部
３ｃ  連結部
３ｄ  孔
４  ディスク状記録媒体
５  インナケース
５ａ  インナ上ハーフ
５ｂ  インナ下ハーフ
６  アウタケース
６ａ  アウタ上ハーフ
６ｂ  アウタ下ハーフ
７ａ、７ｂ  ディスク外周リブ
８ａ  アウタ上ヘッド挿入孔
８ｂ  アウタ下ヘッドおよびスピンドル挿入孔
９ａ、９ｂ  アウタケースシャッタ摺動凹部
１０ａ、１０ｂ  インナケースシャッタ摺動凹部
１１  凸部
１２  穴
１３  基準孔
１４  リブ
１５  溝
１６  段差面
１７ａ、１７ｂ  スライダ摺動リブ
【図１】
2009048675.tif 000003
【図２】
2009048675.tif 000004
【図３】
2009048675.tif 000005
【図４】
2009048675.tif 000006
【図５】
2009048675.tif 000007
【図６】
2009048675.tif 000008
【図７】
2009048675.tif 000009
【図８】
2009048675.tif 000010
【図９】
2009048675.tif 000011